(57)【要約】男性失禁用デバイスが、本明細書中で開示されている。このデバイスは、ブリーフの形態を含み、このブリーフは、男性着用者の腰部の周りで着用されるように適合された腰巻、この腰巻に固定して取り付けられた上部端を有するレザバアセンブリ、および上部端部分を有する陰茎コンドームを有する。この失禁デバイスは、この陰茎コンドームの上部端に、独自の迅速解放およびロッキング機構を備えおり、このデバイスの着用者のいかなるサイズの陰茎にも安定して装着することを可能にする。この陰茎コンドームは、逆サイホンバルブを介して、レザバと連絡した下方開口部を有する。排出アセンブリが、このレザバの低部端と連結され、このレザバの選択的排出を可能にし、そしてこの排出アセンブリは、１個以上の流体ロッキングデバイスを有し、この排出アセンブリをロックして、尿レザバの偶発的な排出を防止する。
2006507017.tif 000002
【特許請求の範囲】
【請求項１】
男性失禁用デバイスであって、以下：
ユーザの腰部を取り巻くための腰巻であって、該腰巻は、該ユーザの腰部の周辺位置に該腰巻を維持するための複数のストラップを備え、該ユーザの腹部に隣接する、着用されるべき前面を有する、腰巻；
レザバであって、該腰巻の該前面に固定されて取り付けられた上部端、および下部端を有する、レザバ；
コンドームシースであって、該レザバの上部端内部に配置され、かつ該腰巻の該前面の内側に固定されて取り付けられた少なくともその一部を有し、該腰巻の近傍に、該レザバの該上部端が取り付けられており、該コンドームシースは、細長く、開口部を備えた下部端を有する陰茎コンドームを備え、該開口部は、該レザバ内の開口部と連絡している、コンドームシース；ならびに、
排出アセンブリであって、該レザバの低部端と連結しており、かつ該レザバ内の尿の選択的排出を可能にするための少なくとも１個の排出ロックを有する、排出アセンブリ、
を備える、デバイス。
【請求項２】
請求項１に記載のデバイスであって、前記陰茎コンドームは、上部端を備え、該上部端は、引き紐およびロックアセンブリを有し、該ロックアセンブリは、該コンドームの該上部端を陰茎の根元で締め、該陰茎に該上部端を快適に固定するのを可能にする、デバイス。
【請求項３】
請求項１に記載のデバイスであって、前記レザバに対する前記コンドームの低部端の開口部は、逆サイホンバルブを備える、請求項１に記載のデバイス。
【請求項４】
請求項１に記載のデバイスであって、前記排出アセンブリは、回転式バルブを備え、該排出アセンブリは、共通アダプタの形態の排出口を有し、該アダプタは、前記レザバの排出用の従来型の病院ベッドの尿容器と連結され得る、デバイス。
【請求項５】
請求項４に記載のデバイスであって、前記レザバの外面上に容器が備えられ、前記排出アセンブリは、前記共通アダプタの端部が、該容器と接続して、該レザバの偶発的な排出を防止するのを容易にし、かつ該排出アセンブリを、着用者のズボンの脚からあまり出過ぎないようにコンパクトな様式で維持するという両方を可能にするために折り畳まれるように適合される、デバイス。
【請求項６】
請求項１に記載のデバイスであって、前記腰巻の前記ストラップは、第一のストラップおよび第二のストラップを備え、該ストラップは、該腰巻の右側および左側から下方向に延びており、ストラップループの下部端に取り付けられた下部端をさらに有し、該ストラップループは、該腰巻の前面に取り付けられた上部端を有し、該腰巻およびストラップアセンブリは、男性の腰部に適切に方向付けられた男性失禁用デバイスを維持するように働く、デバイス。
【請求項７】
請求項６に記載のデバイスであって、前記コンドームは、上部端を有し、該上部端は、引き紐およびロックアセンブリを有し、該ロックアセンブリは、該コンドームの該上部端を陰茎の根元で締め、該陰茎に該上部端を快適に固定するのを可能にする、デバイス。
【請求項８】
男性失禁用デバイスであって、以下：
ユーザの腰部を取り巻くための腰巻であって、該ユーザの腰部の周辺位置に該腰巻を維持するための複数のストラップを備える、腰巻；
該腰巻の前面に固定して取り付けられた上部端を有するレザバ；
該レザバの上部端内部に配置された陰茎コンドームであって、該コンドームは、細長く、かつ開口部を備えた下部端を有し、該開口部は、該レザバ内の開口部と連絡しており、該陰茎コンドームは、上部端をさらに備え、該上部端は、該コンドームの該上部端を陰茎の根元で締め、該陰茎に該上部端を快適に固定するのを可能にするための引き紐アセンブリを有する、陰茎コンドーム；ならびに、
該レザバの低部端と連結しており、かつ該レザバ内の尿の選択的排出を可能にするための少なくとも１個の排出ロックを有する、排出アセンブリ、
を備える、デバイス。
【請求項９】
請求項８に記載のデバイスであって、前記コンドームの低部端の前記開口部は、逆サイホンバルブを備える、デバイス。
【請求項１０】
請求項８に記載のデバイスであって、前記排出アセンブリは、液体バルブを備え、かつ該排出アセンブリは、共通アダプタ排出口を有する、デバイス。
【請求項１１】
請求項１０に記載のデバイスであって、前記レザバの外面上に容器が備えられ、前記排出アセンブリは、前記共通アダプタの端部が、該容器に取り付けられ、該レザバの偶発的な排出を防止するのを容易にし、かつ該排出アセンブリをコンパクトな様式で維持するのを可能にするために折り畳まれるように適合される、デバイス。
【請求項１２】
男性失禁用デバイスであって、以下：
ユーザの腰部を取り巻くための腰巻であって、該腰巻は、該ユーザの腰部の周辺位置に該腰巻を維持するための複数のストラップを備え、該ストラップは、該腰巻の右側および左側から下方向に延びる、第一のストラップおよび第二のストラップを備え、ストラップループの下部端に取り付けられた下部端をさらに有し、該ストラップループは、該腰巻の前面に取り付けられた上部端を有する、腰巻；
該腰巻の前面に固定されて取り付けられた上部端を有するレザバ；
該レザバの上部端内部に配置された陰茎コンドームであって、該コンドームは、細長く、かつ開口部を備える下部端を有す、該開口部は、該レザバ内の開口部と連絡しており、該コンドームは、上部端をさらに備えており、該上部端は、該コンドームの該上部端を陰茎の根元で締め、該陰茎に該上部端を快適に固定するのを可能にするための引き紐およびロックアセンブリを有し、該レザバに対する該コンドームの下部端の該開口部は、逆サイホンバルブを備える、陰茎コンドーム；
該レザバの下部端と連結した排出アセンブリであって、該排出アセンブリは、回転式バルブ、および該レザバの排出用従来型の病院ベッドの尿容器と連結し得る共通アダプタの形態の排出口を有する、排出アセンブリ、ならびに、
該レザバの外面上の容器であって、該排出アセンブリは、該共通アダプタの端部が、該容器と接続して、該レザバの偶発的な排出を防止するのを容易にするために折り畳まれるように適合される、容器、
を備える、デバイス。
【発明の詳細な説明】
【技術分野】
【０００１】
本発明は、男性失禁用デバイスに関する。より詳細には、本発明は、快適で、利用するのが容易で、経済的で、かつ単純な独自の迅速解放を備えるように設計された、内臓式の１ユニット再使用可能デバイス、およびロッキング引き紐機構に関する。この新規の機構によって、いかなるサイズおよび形状の陰茎でも、容易にかつ確実に陰茎コンドーム内に挿入することが可能になり、１サイズで全ての男性に適合される。このデバイスは、先行の類似のデバイスの主な共通の問題（このコンドームは、男性の陰茎から容易に外れ、それによって、ユーザは、多量の尿流出、困惑および屈辱を受けること）を完全に排除する。
【背景技術】
【０００２】
（発明の背景）
男性の失禁が問題となり得る多くの状況が、存在している。多くの失禁状態は、病気、事故、癌、出生時欠損、精神的問題などに起因して生じる。男性失禁の主な原因のうちの１つである前立腺癌は、世界中で毎年増加しており、アメリカ合衆国単独では、年に、４００，０００人を超える男性が、この疾患と診断されていると推定される。最新の研究によって、１０，０００，０００人を超えるアメリカ人男性が失禁であるが、失禁を罹患している男性の１０％未満しか医療を求めていないことが示されている。１日２４時間、乾燥状態のままでいるための探究において、アメリカ人が、毎年数十億ドルを費やしていることもまた、計算されている。
【０００３】
夜尿症、漏れ、滴下などは、失禁、喪失または尿制御に関する多数の名称である。失禁は、例えば、多数の原因（年齢、身体的ストレス（例えば、重いものを持ち上げることからでさえ））から生じ得る。前立腺癌に対する処置（例えば、放射線前立腺切除術および放射線療法）もまた、重篤な失禁を誘導し得る。前立腺癌に対する外科手術を受けた男性の間で、多くの場合において、その状態は、一時的なものであり、時間が経てばそれ状態自体回復し、わずかな処置で矯正され得る。しかし、多くの放射線前立腺切除術の患者が、重篤な失禁を経験している。なぜなら、患者内に存在していた全ての癌を取り除くための広範な外科手術によって、外括約筋が破壊されたかまたは機能不全にされるからである。
【０００４】
前述の問題を避けるための多くの試みがなされてきた。それらの例は、多数の米国特許（１９２４年に発行された米国特許第１，４９０，７９３号、１９９７年に発行された米国特許第４，０２２，２１３号、および１９９７年に発行された米国特許第５，６１８，２７７（これらの特許はまた、この問題に取り組みそして／またはこの問題を解決するために、相当の期間にわたって、その試みを証明している）が挙げられる）において開示されたデバイスにおいて見出される。先行技術のデバイスの多くは、１つの形態または別の形態における欠点を有する。これらとしては、使用するのが困難で、わずかな尿貯蔵性能しか有さず、昼間および夜間に数回、ユーザが尿レザバを空にする必要があり、ユーザが良好な睡眠をとるのを不可能にする、かさ高くて不快なデバイスが挙げられる。これらのデバイスは、排便、種々のサイズの陰茎コンドームの必要性、一緒に使用されるべき複数成分の供給、付属品の配置を使用する際の取り扱いにくさおよび困難性、ならびに重要なことに、身体および特に陰茎にあまりストレスを与えることなく、回収した尿とともにデバイスの重量の適切な支持の提供を可能にするように、排除されなければならない。
【発明の開示】
【課題を解決するための手段】
【０００５】
（発明の要旨）
本発明は、男性のボクサーパンツと類似のサイズの、独自の内臓式の１ユニット再使用可能な失禁デバイスを提供する。尿の収容容量は、３６．７液量オンスまたは１１００ｃｃであり、他の容器に移すことなく２４時間、連続使用するのに十分である。このデバイスは、１箇所に陰茎を快適に保持するのに、カテーテル処置も接着も必要としない。これは、主に、新規の迅速解放およびロッキング引き紐機構に起因する。この新規の機構によって、いかなるサイズまたは形状の陰茎でも、容易にかつ確実に陰茎コンドーム内に挿入することが可能になり、１サイズで全ての男性に適合される。このデバイスは、全幅の信頼性をもって、起きている状態と寝ている状態との両方で、いかなる時間でもいかなる場所でも利用され得る。ユーザは、このデバイスを取り外すことなく、いつでも排便することができる。丈夫な構造および設計によって作製された、独自の重量負荷特性に起因して、このデバイスおよびその含有物の重量は、ユーザの腰部、大腿部および股関節部に分配され得る。この新規アプローチにおいて、陰茎によって必要とされる重量付加は存在しない。この内臓式デバイスは、１つの微小領域においてその全てが提供されているので、付属品は全く必要とされない。このデバイスは、以下のものを必要としない：フック、リング、接着用ストリップ、接着剤、ブザー（ｂｕｚｚｅｒ  ｓｏｕｎｄ）、スナップファスナー、ラッチ、ストランド、ストラップ、Ｖｅｌｃｒｏ（登録商標）など。
【０００６】
従って、本発明の主な目的は、改善された男性失禁用デバイスを提供することにある。
【０００７】
本発明の別の目的は、操作が全体的に容易でありかつ費用が経済的である、ユーザの必要条件を効果的に満たす男性失禁用デバイスを提供することにある。
【０００８】
（詳細な説明）
ここで図面（最初に、図１〜図４）を参照すると、本発明に従う失禁デバイス１０が、成人男性（点線で示される）によって着用された状態で示されている。このデバイスは、丈夫で伸長可能なコットンブリーフ１４、このブリーフ１４の腰巻１８に取り付けられた上部端を有する単一尿レザバ１６、を備える。このレザバ１６は、好ましくは、１単位ユニットである。このブリーフは、一対の支持ストラップ２２および２４、ならびにこのストラップ２２および２４の端部に、２７にて取り付けられた支持ループ２６（図４を参照のこと）をさらに備える。このストラップ２２および２４の上部端は、図１において見られるように、そして図４において点線で見られるように、腰膜の右側および左側にて、この腰巻１８の下側に取りつけられており、そしてループ２６が、同様に、この腰巻１８の前面に取り付けられている。このストラップ２２および２４の下部端は、男性の脚の間で前方向に延び、図１において示されるように、そして図４において点線で示されるように、このストラップ２２および２４の前面下方端（男性の腹部近辺）に取り付けられる。図において示されるように、ストラップ２２および２４ならびにループ２６の配置から、図２に示されるように、排便の間に、本発明の失禁デバイス１０を取り外す必要はない。
【０００９】
本発明の失禁デバイスの例示的な実施形態は、陰茎コンドーム３０を備える。この陰茎コンドームは、その上部端にて、引き紐および迅速解放ロッキング機構３２を有し、従って、１サイズで、全ての男性に適合させることができる。このコンドーム３０の下部端３３は、逆サイホンバルブ３４（図４における拡大図および図５における側面図に留意のこと）を有し、管３６に連結された排出口が、レザバ１６に取り付けられている。この逆サイホンバルブ３４は、尿がレザバ１６からコンドーム３０に逆流するのを防ぐ。このコンドーム３０は、下部端３３でのみ取り付けられている。
【００１０】
コットンブリーフ１４、特に、その腰巻１８は、失禁デバイス全体の重量（特に、レザバ１６およびコンドーム３０を含む）を支持する。コンドームによっても陰茎によっても、重量は与えられない。引き紐およびロッキングデバイス３２は、コンドーム３０の上部端の円周の周りに上部中空バンド３８を備え、この内部に、引き紐４０が配置される。それによって、コンドーム３０は、引き紐４０をロッキングデバイス４２に通して合理的に気密に引くことによって、適切に締め上げられ、本発明の失禁デバイスの使用の間に、コンドーム３０から陰茎が抜けるのを防止し得る。この独自の機構によって、いかなるサイズまたは形状の陰茎も、１箇所で、１日２４時間、全幅の信頼性をもって、容易に、快適にかつ確実に適合させることが可能になる。
【００１１】
コンドームの代表的なサイズは、全ての男性または実質的に全ての男性に適応させるために、２〜１／２インチ幅で７インチ長である。コンドームは、好ましくは、Ｌａｔｅｘゴムおよび／または他の材料から形成される。このコンドーム３０自体は、ブリーフ１４に取り付けられていない。図４において示されるように、レザバ１６のコンドームシース１７の上部端が、３５にて、ブリーフ１４の腰巻１８の内側に縫われている。この配置によって、ブリーフ（特に、腰巻１８）が、コンドームシース１７およびレザバ１６（ならびに、以下で議論されるように、レザバ１６の排液を可能にするデバイスの他の構成部品）を支持し、かつこのデバイスの全ての重量（特に、レザバ１６、および本発明のデバイスの使用を介してこのレザバに貯蔵される種々の尿含量）を支持することが可能になる。
【００１２】
理解されるように、このレザバ１６は、尿で満たされるかそうでなければ尿を含んだ場合、排出される必要がある。従って、適切な排出アセンブリ６０が備えられる。この排出アセンブリは、レザバ１６の下部端６３にて、管または排出口６２を備える。回転式バルブ６４（図５で、開いた状態で示される）が管６２と接続され、第一の遮断を提供する。この回転式バルブは、下部管６６まで延び、この下部管は、第二のクリックロッキングデバイス６８（図５で、開いた状態で示される）を有する。新規の共通アダプタコネクタ７０が、好ましくは、管６６の下部端に接続され、そして開口下部端を有する容器７２が、図５および図６において最良に示されるように、レザバ１６の側面に取り付けられる。この共通アダプタコネクタは、そのデバイスのユーザが、病気、事故または外科手術によって長期間にわたってベッドに固定されたままの場合にも、巨大な収容容量の病院の尿容器に容易に適合し得る。
【００１３】
図６において例示されるように、共通アダプタ７０および容器７２の組み合わせによって、管６６およびアダプタ７０が折り畳まれ、このアダプタ７０の端部がロッキング機構７３を介して容器７２に取り付けられた場合に、この管６６における「クリックロック」の形態（７６にて示される）での、さらなる安全特徴が可能になる。従って、３つの液体ロッキングデバイス（すなわち、回転式バルブ６４（図６で、閉じた状態で示される）、クリックロック６８（図６で、閉じた状態で示される）、およびクリックロック７６）が、排出アセンブリ６０に備えられる。この排出アセンブリ６０、特に、その管６６は、男性のユーザがこれら３つのロックを容易に解除して、アダプタ７０の端部を下げて、レザバ１６を適切な容器に排出するのに十分長いように設計されている。図３は、簡便にこのような排出を容易にするためのデバイス全体の代表的な長さを示す。アダプタ７０および容器７２の配置もまた、排出アセンブリが、あまり出過ぎないようにコンパクトな収納様式でユーザのズボンの脚内に折り畳まれるのを可能にする。
【００１４】
本発明のデバイスの特徴は、以下を備える：
陰茎コンドーム３０は、任意のサイズまたは形状の男性の陰茎を容易にかつ快適に挿入するのを可能にする挫いずおよび配置のものである。
【００１５】
迅速解放およびロッキング機構３２によって、陰茎を、不快感なく、固定して１箇所で保持することが可能になる。
【００１６】
レザバ１６の尿収容容量は、好ましくは、１１００ｃｃまたは３６．７オンスであり、この収容容量は、他の容器に移すことなく、２４時間の連続使用に十分である。従って、ユーザは、乾燥状態のままでいるために、夜中に起きる必要はない。現在のデバイスは、ユーザが夜中に２〜３回起きて、そのユーザの低収容容量の尿レザバを空にする必要がある。
【００１７】
本発明の失禁デバイスは、好ましくは、丈夫なプラスチック材料から構成され、このデバイスを、何回も再度利用することが可能である。これは、毎年の実質的な使用ドルを節約することになる。しかし、ユーザは、このデバイスを、中度の抗菌石鹸および中度の消毒薬の混合物を含む温水などで、２４時間毎に洗浄する必要がある。このデバイス全体は、手でのみ洗浄可能であるように設計されており、そしてそのユニット全体を、少なくとも１週間に１回、手で洗浄することを推奨している。
【００１８】
ブリーフの構成、特に、ストラップ２２、２４および２６の配置は、図２において最良に示されるように、このデバイスを取り外しを必要とすることなく、排便の容易さを促進する。
【００１９】
特に、ブリーフ１４が他の構成部品の全てを支持する様式での、本発明のデバイスの設計および構成によって、デバイスおよびその含有物全体の重量は、ユーザの腰部、大腿部および股関節部に容易に分配され得る。陰茎によって必要とされる重量付加は、存在しない。
【００２０】
本発明のデバイスのサイズは、標準的な男性のボクサーパンツと非常に類似しており、その結果、このデバイスによって必要とされる領域は、隠されたデバイスに対して相対的に小さく、かつ最も完全な潜在性および満足で利用される。
【００２１】
このデバイスは、内臓式のユニットであり、その全てのものが備えられており、付属部品を全く必要としない。このデバイスは、フックも、リングも、接着用ストリップも、スナップファスナーも、ラッチも、ブザーも、Ｖｅｌｃｒｏ（登録商標）も、適切に機能させるための他のデバイスも、必要としない。
【００２２】
このデバイスは、全幅の信頼性をもって、いかなる時間でもいかなる場所でも、起きている状態と寝ている状態との両方で利用され得る。
【００２３】
本発明の実施形態が、示されそして記載されてきたが、本発明の範囲から逸脱することなく、宿主細胞細胞つの改変がなされ得、そして全てのこのような改変が網羅されることが意図される。
【図面の簡単な説明】
【００２４】
本発明のこれらおよび他の目的および特徴は、図面とともに、以下の説明を考慮することによってより良好に理解される。
【図１】図１は、成人男性（点線で示される）によって着用された、本発明に従う例示的なデバイスを示す。このデバイスは、収納位置にある。
【図２】図２は、このデバイスの部分的な背面図である。このデバイスは、排出位置にある。
【図３】図３は、本発明のデバイスのレザバがどのように維持され得、そしてどのように男性のズボン（点線）の中に隠され得るかを示した部分的な側面図である。このデバイスは、排出位置にある。
【図４】図４は、本発明のデバイスのより詳細な図である、このデバイスは、排出位置にある。
【図５】図５は、使用前の本発明のデバイスの側面図であり、コンドームおよびそのズボン用装着システム、ならびにこのデバイスのレザバおよび排出機構の細部を示している。このデバイスは、排出位置にある。
【図６】図６は、このデバイスの排出システムの固定収納位置を示す。
【図７】図７は、コンドームデバイスの陰茎への装着方法をさらに示す。
【図８】図８は、コンドームの引き紐を容易に解放し、調節し、そして締めるためのデバイスを示す。
【図９】図９は、コンドームの引き紐を容易に解放し、調節し、そして締めるためのデバイスを示す。
【図１】
2006507017.tif 000003
【図２】
2006507017.tif 000004
【図３】
2006507017.tif 000005
【図４】
2006507017.tif 000006
【図５】
2006507017.tif 000007
【図６】
2006507017.tif 000008
【図７】
2006507017.tif 000009
【図８】
2006507017.tif 000010
【図９】
2006507017.tif 000011
【手続補正書】
【提出日】平成16年8月30日(2004.8.30)
【手続補正１】
【補正対象書類名】特許請求の範囲
【補正対象項目名】全文
【補正方法】変更
【補正の内容】
【特許請求の範囲】
【請求項１】
男性失禁用デバイスであって、以下：
ユーザの腰部を取り巻くための腰巻であって、該腰巻は、該ユーザの腰部の周辺位置に該腰巻を維持するための複数のストラップを備え、該ユーザの腹部に隣接する、着用されるべき前面を有する、腰巻；
レザバであって、該腰巻の該前面に固定されて取り付けられた上部端、および下部端を有する、レザバ；
コンドームシースであって、該レザバの上部端内部に配置され、かつ該腰巻の該前面の内側に固定されて取り付けられた少なくともその一部を有し、該腰巻の近傍に、該レザバの該上部端が取り付けられており、該コンドームシースは、細長く、開口部を備えた下部端を有する陰茎コンドームを備え、該開口部は、該レザバ内の開口部と連絡している、コンドームシース；ならびに、
排出アセンブリであって、該レザバの低部端と連結しており、かつ該レザバ内の尿の選択的排出を可能にするための少なくとも１個の排出ロックを有する、排出アセンブリ、
を備える、デバイス。
【請求項２】
請求項１に記載のデバイスであって、前記陰茎コンドームは、上部端を備え、該上部端は、引き紐およびロックアセンブリを有し、該ロックアセンブリは、該コンドームの該上部端を陰茎の根元で締め、該陰茎に該上部端を快適に固定するのを可能にする、デバイス。
【請求項３】
請求項１に記載のデバイスであって、前記レザバに対する前記コンドームの低部端の開口部は、逆サイホンバルブを備える、請求項１に記載のデバイス。
【請求項４】
請求項１に記載のデバイスであって、前記排出アセンブリは、回転式バルブを備え、該排出アセンブリは、共通アダプタの形態の排出口を有し、該アダプタは、前記レザバの排出用の従来型の病院ベッドの尿容器と連結され得る、デバイス。
【請求項５】
請求項４に記載のデバイスであって、前記レザバの外面上に容器が備えられ、前記排出アセンブリは、前記共通アダプタの端部が、該容器と接続して、該レザバの偶発的な排出を防止するのを容易にし、かつ該排出アセンブリを、着用者のズボンの脚からあまり出過ぎないようにコンパクトな様式で維持するという両方を可能にするために折り畳まれるように適合される、デバイス。
【請求項６】
請求項１に記載のデバイスであって、前記腰巻の前記ストラップは、第一のストラップおよび第二のストラップを備え、該ストラップは、該腰巻の右側および左側から下方向に延びており、ストラップループの下部端に取り付けられた下部端をさらに有し、該ストラップループは、該腰巻の前面に取り付けられた上部端を有し、該腰巻およびストラップアセンブリは、男性の腰部に適切に方向付けられた男性失禁用デバイスを維持するように働く、デバイス。
【請求項７】
請求項６に記載のデバイスであって、前記コンドームは、上部端を有し、該上部端は、引き紐およびロックアセンブリを有し、該ロックアセンブリは、該コンドームの該上部端を陰茎の根元で締め、該陰茎に該上部端を快適に固定するのを可能にする、デバイス。
【請求項８】
男性失禁用デバイスであって、以下：
ユーザの腰部を取り巻くための腰巻であって、該ユーザの腰部の周辺位置に該腰巻を維持するための複数のストラップを備える、腰巻；
該腰巻の前面に固定して取り付けられた上部端を有するレザバ；
該レザバの上部端内部に配置された陰茎コンドームであって、該コンドームは、細長く、かつ開口部を備えた下部端を有し、該開口部は、該レザバ内の開口部と連絡しており、該陰茎コンドームは、上部端をさらに備え、該上部端は、該コンドームの該上部端を取り巻いて陰茎の根元周辺で締め、該陰茎に該上部端を固定するのを可能にするための引き紐アセンブリを有する、陰茎コンドーム；ならびに、
該レザバの低部端と連結しており、かつ該レザバ内の尿の選択的排出を可能にするための少なくとも１個の排出ロックを有する、排出アセンブリ、
を備える、デバイス。
【請求項９】
請求項８に記載のデバイスであって、前記コンドームの低部端の前記開口部は、逆サイホンバルブを備える、デバイス。
【請求項１０】
請求項８に記載のデバイスであって、前記排出アセンブリは、液体バルブを備え、かつ該排出アセンブリは、共通アダプタ排出口を有する、デバイス。
【請求項１１】
請求項１０に記載のデバイスであって、前記レザバの外面上に容器が備えられ、前記排出アセンブリは、前記共通アダプタの端部が、該容器に取り付けられ、該レザバの偶発的な排出を防止するのを容易にし、かつ該排出アセンブリをコンパクトな様式で維持するのを可能にするために折り畳まれるように適合される、デバイス。
【請求項１２】
男性失禁用デバイスであって、以下：
ユーザの腰部を取り巻くための腰巻であって、該腰巻は、該ユーザの腰部の周辺位置に該腰巻を維持するための複数のストラップを備え、該ストラップは、該腰巻の右側および左側から下方向に延びる、第一のストラップおよび第二のストラップを備え、ストラップループの下部端に取り付けられた下部端をさらに有し、該ストラップループは、該腰巻の前面に取り付けられた上部端を有する、腰巻；
該腰巻の前面に固定されて取り付けられた上部端を有するレザバ；
該レザバの上部端内部に配置された陰茎コンドームであって、該コンドームは、細長く、かつ開口部を備える下部端を有す、該開口部は、該レザバ内の開口部と連絡しており、該コンドームは、上部端をさらに備えており、該上部端は、該コンドームの該上部端を陰茎の根元で締め、該陰茎に該上部端を快適に固定するのを可能にするための引き紐およびロックアセンブリを有し、該レザバに対する該コンドームの下部端の該開口部は、逆サイホンバルブを備える、陰茎コンドーム；
該レザバの下部端と連結した排出アセンブリであって、該排出アセンブリは、回転式バルブ、および該レザバの排出用従来型の病院ベッドの尿容器と連結し得る共通アダプタの形態の排出口を有する、排出アセンブリ、ならびに、
該レザバの外面上の容器であって、該排出アセンブリは、該共通アダプタの端部が、該容器と接続して、該レザバの偶発的な排出を防止するのを容易にするために折り畳まれるように適合される、容器、
を備える、デバイス。
【請求項１３】
男性失禁用デバイスであって、以下：
ユーザの腰部を取り巻き、該ユーザの腰部の周辺位置に該腰巻を維持するための腰巻であって、該ユーザの腹部に隣接する、着用されるべき前面を有する、腰巻；
レザバであって、該腰巻の該前面に固定されて取り付けられた上部端、および下部端を有する、レザバ；
コンドームシースであって、該レザバの上部端内部に配置され、かつ該腰巻の該前面の内側に固定されて取り付けられた少なくともその一部を有し、該腰巻の近傍に、該レザバの該上部端が取り付けられており、該コンドームシースは、細長く、開口部を備えた下部端を有する陰茎コンドームを備え、該開口部は、該レザバ内の開口部と連絡しており、該陰茎コンドームは、該コンドームの該上部端を陰茎の根元で締め、該陰茎に該上部端を固定するのを可能にする、引き紐およびロッキングデバイスアセンブリを有する可撓性上部端をさらに備える、コンドームシース；ならびに、
排出アセンブリであって、該レザバの低部端と連結しており、かつ該レザバ内の尿の選択的排出を可能にするための少なくとも１個の排出ロックを有する、排出アセンブリ、
を備える、デバイス。
【請求項１４】
前記シースの一部は、前記腰巻の前面の内側に取り付けられている、請求項１３に記載のデバイス。
【請求項１５】
前記コンドームは、全ての男性に適応するように、約２１／２インチ幅および約７インチ長である、請求項１３に記載のデバイス。
【請求項１６】
前記コンドームは、ラテックスゴムから形成される、請求項１５に記載のデバイス。
【請求項１７】
請求項１３に記載のデバイスであって、前記引き紐およびロッキングデバイスアセンブリは、前記コンドームの前記上部端周辺に引き紐を備え、該引き紐は、該ロッキングデバイスを通って延びる端部を有し、該ロッキングデバイスを通して該引き紐を引くことによって、該引き紐を、該コンドームの該上部端で適切に気密に締め上げるのを可能にする、デバイス。
【請求項１８】
前記レザバに対する前記コンドームの下部端の開口部は、逆サイホンバルブを備える、請求項１３に記載のデバイス。
【請求項１９】
請求項１３に記載のデバイスであって、前記排出アセンブリは、バルブを備え、かつ該排出アセンブリは、従来型の尿容器と連結され得、該尿容器に該レザバを排出するための共通アダプタの形態の排出口を有する、デバイス。
【請求項２０】
請求項１９に記載のデバイスであって、前記レザバの外面上に容器が備えられ、前記排出アセンブリは、前記共通アダプタの端部が、該容器と接続して、該レザバの偶発的な排出を防止するのを容易にし、かつ該排出アセンブリを、着用者のズボンの脚からあまり出過ぎないようにコンパクトな様式で維持するという両方を可能にするために折り畳まれるように適合される、デバイス。
【請求項２１】
請求項１３に記載のデバイスであって、前記腰巻は、該腰巻の右側および左側から下方向に延び、かつストラップループの下部端に取り付けられた下部端をさらに有する、第一のストラップおよび第二のストラップを備え、該ストラップループは、該腰巻の前面に取り付けられた上部端を有し、該腰巻およびストラップアセンブリは、男性の腰部に適切に方向付けられた男性失禁用デバイスを維持するように働く、デバイス。
【請求項２２】
男性失禁用デバイスであって、以下：
ユーザの腰部用の腰巻であって、該腰巻は、該ユーザの腹部に隣接する、着用されるべき前面を有する、腰巻；
レザバであって、該腰巻の該前面に固定されて取り付けられた上部端、および下部端を有する、レザバ；
コンドームシースであって、該レザバの上部端内部に配置され、かつ該腰巻に固定されて取り付けられた少なくともその一部を有し、該腰巻の近傍に、該レザバの該上部端が取り付けられており、該コンドームシースは、細長く、開口部を備えた下部端を有する陰茎コンドームを備え、該開口部は、該レザバ内の開口部と連絡しており、該陰茎コンドームは、該コンドームの該上部端を陰茎の根元および根元周辺で締め、該陰茎に該上部端を快適に固定するのを可能にする、引き紐およびロッキングデバイスアセンブリを有する上部端を備える、コンドームシース；ならびに、
排出アセンブリであって、該レザバ内の尿の選択的排出を可能にするように、該レザバの低部端と連結されている、排出アセンブリ、
を備える、デバイス。
【請求項２３】
前記レザバに対する前記コンドームの下部端の開口部は、逆サイホンバルブを備える、請求項２２に記載のデバイス。
【請求項２４】
請求項２２に記載のデバイスであって、前記腰巻は、該腰巻の右側および左側から下方向に延び、かつストラップループの下部端に取り付けられた下部端をさらに有する、第一のストラップおよび第二のストラップを備え、該ストラップループは、該腰巻の前面に取り付けられた上部端を有し、該腰巻およびストラップは、男性の腰部に適切に方向付けられた男性失禁用デバイスを維持するように働く、デバイス。
【請求項２５】
前記コンドームは、ラテックスゴムから形成される、請求項２２に記載のデバイス。
【国際調査報告】
2006507017.tif 000012
2006507017.tif 000013
2006507017.tif 000014